(57)【要約】      （修正有）【課題】低コストの縞状マスクとストリップ状絵柄で構成される多重構造ラベルにおいて、絵柄を変化させるために必要な意図的なスライド操作を、低コストのままで簡単かつ自然な操作で置き換えること。【解決手段】ラベルの一部もしくはラベルの一部を含む容器自体を指で押す操作による可動ラベル３の変形を利用して可動ラベル３をスライドさせる構造により、この問題を解決する。さらに、可動ラベル３シートにそれより少し硬いシート９を接着する構造により可動ラベルが斜めになることを防止すると同時に少ない押込み量で必要なスライド量を確保することを可能にする。【選択図】図１
2008287217.tif 000002
【特許請求の範囲】
【請求項１】
縞状等のパターンのマスクと、マスクと同じ周期とパターンでストリップ状に交互に並べられた２つの異なる絵柄を施した可動ラベルを重ねて構成される多重構造ラベルにおいて、マスクと絵柄の相対位置の変化により絵柄が変化して見えるようにするために可動ラベルの一部を指で押すことによる可動ラベルの変形を利用してスライドさせることを特徴とするラベル構造。
【請求項２】
縞状等のパターンのマスクと、マスクと同じ周期とパターンでストリップ状に交互に並べられた２つの異なる絵柄を施した可動ラベルを重ねて構成される多重構造ラベルにおいて、可動ラベルの押される部分にスライド方向に適当な長さでかつ直角方向には可動ラベル幅程度の大きさで可動ラベルシートより少し硬いシートを接着することにより、可動ラベルを押した時に変形する断面がスライド方向と直角方向に一定の台形に近い形状にすることで、少ない押込み量でより大きなスライド量とマスクパターンに対して直交するスライド方向を得ることを特徴とする請求項１記載のラベル構造。
【発明の詳細な説明】
【技術分野】
【０００１】
本発明は、商品パッケージに関するものであり、ラベルの構造および絵柄に工夫を加えることによって単純に押すだけの操作で絵柄が変化することで、購買者の興味や注目を集めるようにしたものである。
【背景技術】
【０００２】
通常のラベルは、表面に絵柄が印刷されているだけで、絵柄を変化させることはできない。また、従来の絵柄の変化するラベルは、ホログラム印刷等の特殊な印刷技術を用いる場合、印刷コストが高く低価格の商品のパッケージに用いるのは困難であった。縞状マスクとストリップ状絵柄を２重構造に用いる方法として特許文献１の例があるが、この場合意図的なスライド操作の煩わしさやその操作方法の説明が必要になるなど、店頭等において購買者にアピールするには問題があった。実際、非特許文献１に記載されているように昭和４０年頃に子供向けの菓子容器等にこの種の方法が用いられた例があったが、商品パッケージを開封しないと動かして見ることが出来ない等で、販促効果は小さくすぐに廃れてしまっている。
【特許文献１】実用新案登録第３０９５２６５号（Ｕ３０９５２６５）
【非特許文献１】子供昭和史  おまけとふろく大図鑑（別冊太陽）
【発明の開示】
【発明が解決しようとする課題】
【０００３】
本発明は、低いコストの多重構造ラベルの絵柄を簡単かつ自然な操作で変化させることを可能にすることを課題とする。
【課題を解決するための手段】
【０００４】
縞状等のマスクを印刷した透明ラベルは容器に対して相対的に固定し、マスクと容器の間に２種類の絵柄をストリップ状に交互に印刷したもう一枚の可動ラベルを挿入しその可動ラベルの端部をマスク部より外の位置で透明ラベルもしくは容器側に固定し、固定部分もしくはマスクと固定部分の間付近を押すことにより可動ラベルが変形してマスク下の部分がマスク面に対してスライドすることを利用して絵柄が変化する様にすることが可能になる（請求項１）。更に、可動ラベルの押される部分に少し硬いシートを接着することにより、シートのスライドをマスクと直角方向に保持すると共に少ない押込みでより大きなスライド量を確保する構造（請求項２）が提案される。このように簡単な構造により低いコストでアピール効果の高いラベルを構成することが出来る。なお、絵柄ラベルの側を固定しマスク側を可動とすることによっても同様の効果を得ることが出来る。
【発明の効果】
【０００５】
本発明のラベルは、ラベルまたは容器の一部に力を加えるという単純かつ自然な操作によって表示の絵柄が変化する低コストの縞状マスクとストリップ状絵柄多重構造ラベルであり、低価格の商品にも利用できるラベルとして店頭や宣伝会場等において消費者の注目・興味を集める効果が見込まれる。
【実施例１】
【０００６】
図１は、本発明ラベルの１実施例の断面図また図２は正面図であって、台紙１と縞状マスクを印刷した透明ラベル２の間に、マスク縞と同周期で２種の絵柄をストリップ状に交互に印刷した可動ラベル３を挿入し、可動ラベルの端部を５の位置で台紙１に固定してある。実用的なラベルサイズと視認性を考慮すると、縞の周期は２mm〜１０mm程度が適当で縞の線幅および透明部分の幅は丁度その半分である。台紙１にくりぬいた穴６および透明ラベル２にくりぬいた穴７に挟まれた可動ラベル３の８の部分を押すと、この付近が変形することで固定していない側のマスク下部分の可動ラベルが下方にスライドして見える絵柄が変化する。押す力を弱めれば可動ラベル３自身の弾性により変形した部分が元に戻り絵柄も元に戻る。縞の周期を４mmとすると、可動ラベルに必要なスライド量は、縞の線幅と等しいので２mmとなる。図３は、図１の６，７，８部分を拡大したもので、少ない押込み量で必要なスライド量を確保すると共にスライド方向が斜めになることを防止するために可動ラベル３の押される部分の裏側に少し堅いシートを接着することで押したときの可動ラベルの変形がスライド方向と直角方向には同じ台形の形状になるようにしてある。台紙穴６のスライド方向の長さをＷ、裏打ちシートの長さをw/2、押込量をdとして近似的に計算すると、Ｗ＝８mm、d＝２mmのときにスライド量は１．６mm得られるので、２mm強押し込めば必要なスライド量が得られることがわかる。ラベルを添付する容器等が硬い場合、穴６下部分には可動ラベル３の変形のための窪みが必要であるが、窪みの深さが不足もしくは全くない場合、台紙側を厚くすることで補うことも可能である。また、穴６下部分に相当する位置に適当な窪みのある容器もしくは容器自身が弾性変形して可動ラベル３の必要な変形が得られる容器等に添付するラベルの場合は、台紙１を省いて可動ラベル３の端部を透明ラベル２の端部に直接固定することによって同等の効果を得ることもできる。
【実施例２】
【０００７】
図４は、本発明ラベルの１実施例の断面図また図５は正面図であって、ペットボトル１０と縞状マスクを印刷したシュリンクラベル１１の間に、マスク縞と同周期で２種の絵柄をストリップ状に交互に印刷した可動ラベル１２を挿入し、可動ラベルを１４の部分でペットボトルに固定してある。ペットボトルの窪み１５上にある可動ラベル１２の一部１６を押すと、この付近が変形することで固定していない側のマスク下の可動ラベルが下方にスライドして見える絵柄が変化する。押す力を弱めれば可動ラベル１２自身の弾性により変形した部分が元に戻り絵柄も元に戻る。図6は円から正三角形に絵柄が変化する様子を示す簡単な例で、可動ラベルの絵柄１８と押す前に見える状態１９と押した時に見える状態２０である。
【図面の簡単な説明】
【０００８】
【図１】透明ラベルに縞状マスクを印刷し、台紙との間に可動ラベルを挿入した絵柄の変化するラベルの断面図である。
【図２】図１を正面から見た図である。分り易くするため縞状マスクの周期は誇張してあり、実際にはもっと細かい。
【図３】図１の押して変形する部分を拡大したもので、可動ラベルの変形を台形に近くするために少し硬いシートを接着してある。
【図４】ペットボトルのシュリンクラベルに縞状マスクを印刷し、間に可動ラベルを挿入した絵柄の変化するラベルの断面図である。
【図５】図４を正面から見た図である。分り易くするため縞状マスクの周期は誇張してあり、実際にはもっと細かい。
【図６】円から正三角形に絵柄が変化する例の可動ラベルおよび押す前と押した時の状態を示す図である。
【符号の説明】
【０００９】
１  台紙
２  縞状マスクを印刷した透明ラベル
３  マスク縞と同周期で２種類の絵柄をストリップ状に交互に印刷した可動ラベル
４  縞状マスク
５  ３の可動ラベルが１の台紙に固定されている位置
６  １の台紙をくりぬいた穴
７  ２のフィルムをくりぬいた穴
８  ３の可動ラベルを押す部分
９  ８の裏に接着した少し硬いシート
１０  ペットボトル
１１  縞状マスクを印刷した透明シュリンクラベル
１２  マスク縞と同周期で２種類の絵柄をストリップ状に交互に印刷した可動ラベル
１３  縞状マスクとストリップ状絵柄が重なっている部分
１４  １２の可動ラベルが１０のペットボトルに固定された部分
１５  ペットボトルの窪み部分
１６  押す部分
１７  縞状マスク
１８  可動ラベルに描いた円と正三角形のストリップ状絵柄
１９  円形の絵柄に見える押す前の状態
２０  正三角形の絵柄に見える押した時の状態
【図１】
2008287217.tif 000003
【図２】
2008287217.tif 000004
【図３】
2008287217.tif 000005
【図４】
2008287217.tif 000006
【図５】
2008287217.tif 000007
【図６】
2008287217.tif 000008